(57)【特許請求の範囲】
【請求項１】
媒体のデータコードからコードデータを取得した場合には前記コードデータを出力し、前記コードデータを取得せず前記媒体からマークを検出した場合には第１の所定情報を出力するコードリーダと、
前記コードリーダから出力される前記第１の所定情報に基づいて前記媒体の提示を要求する第１の案内部と、
前記コードリーダから出力される前記コードデータに基づいて所定の処理を行う処理部と、
を備え、
前記コードデータは、所定の情報とコードＩＤとから構成され、
前記コードリーダは、前記所定の情報を取得せず前記コードＩＤを取得した場合に前記コードＩＤを出力し、
前記第１の案内部は、前記コードリーダが前記所定の情報を取得せずに前記コードＩＤを取得した場合に、前記媒体の提示を要求し、
前記処理部は、前記コードＩＤと次に前記コードリーダが出力したコードデータに含まれるコードＩＤとが一致した場合に、前記コードデータに基づいて所定の処理を行う、
処理機。
【請求項２】
画像を表示する表示部を備え、
前記第１の案内部は、前記媒体を前記コードリーダに翳すように促すメッセージを前記表示部に表示する、
前記請求項１に記載の処理機。
【請求項３】
音を出力するスピーカ部を備え、
前記第１の案内部は、前記スピーカ部を通じて、前記媒体を前記コードリーダに翳すように促す警告音又は警告音声を出力する、
前記請求項１又は２に記載の処理機。
【請求項４】
前記コードリーダは、前記データコードを含む第１面と検出用コードを含む第２面とを備える前記媒体から前記検出用コードを読み取った場合に、第２の所定情報を出力し、
前記コードリーダから出力される前記第２の所定情報に基づいて前記媒体の前記第１面を翳すことを要求する第２の案内部を備える、
前記請求項１乃至３の何れか１項に記載の処理機。
【請求項５】
前記第２の所定情報は、前記媒体の前記第２面が翳されたことを示す情報、又は、前記検出用コードの検出を示す情報である、
前記請求項４に記載の処理機。
【請求項６】
前記コードリーダは、不可視光を用いて、前記検出用コードを読み取る、
前記請求項４又は５に記載の処理機。
【請求項７】
利用者の通行を制御するドア機構を備え、
前記コードデータは、乗車券情報を含み、
前記処理部は、前記乗車券情報に基づいて利用者が通行可能である場合に前記ドア機構を開放し、前記利用者が通行可能でない場合に前記ドア機構を閉鎖する、
前記請求項１乃至６の何れか１項に記載の処理機。
【請求項８】
前記データコードは、前記マークの少なくとも１つを備える、
前記請求項１乃至７の何れか１項に記載の処理機。
【請求項９】
前記媒体は、前記データコードの領域外に前記マークの少なくとも１つを有する、
前記請求項１乃至８の何れか１項に記載の処理機。
【請求項１０】
前記データコードは、二次元コードである、
前記請求項１乃至９の何れか１項に記載の処理機。
【請求項１１】
前記データコードは、ＱＲコードであり、
前記マークは、ファインダパターンである、
前記請求項１０に記載の処理機。
【発明の詳細な説明】
【技術分野】
【０００１】
本発明の実施形態は、処理機及び発行機に関する。
【背景技術】
【０００２】
二次元コードなどを読み取るコードリーダは、翳されたシート又画面などからコードを読み取り、読み取ったコードから取得されたデータを外部に通知する。駅などに設置される自動改札機としての処理機には、コードリーダを利用したものが登場している。処理機のコードリーダは、利用者が処理機に翳した券媒体などからコードを読み取り、処理機は、取得されたデータに基づき改札処理を実行する。
【０００３】
しかしながら、処理機は、コードリーダによるコードの読み取りに失敗したことを検知できない。例えば、コードリーダに対する券媒体の提示が不十分で、コードリーダがコードを読み取れない（つまりデータを取得できない）場合でも、処理機は、このような事態を検知できない。そのため、処理機は、コードリーダからデータが通知されていない状態で、利用者の進入を検知すると、単なる無札進入と判定してコードリーダをオフに制御する。コードリーダがオフに制御されると、利用者が券媒体をコードリーダへ再度翳しても券媒体からコードが読み取られることはない。その結果、利用者が改札通路に滞留し、コードリーダからの出力に基づく処理効率が低下するという課題がある。
【先行技術文献】
【特許文献】
【０００４】
【特許文献１】特開２０１３−１９１０１８号公報
【発明の概要】
【発明が解決しようとする課題】
【０００５】
上記の課題を解決するために、コードリーダからの出力に基づく処理効率の低下防止に優れた処理機及び発行機を提供する。
【課題を解決するための手段】
【０００６】
実施形態によれば、処理機は、コードリーダと、第１の案内部と、処理部と、を備える。コードリーダは、媒体のデータコードからコードデータを取得した場合には前記コードデータを出力し、前記コードデータを取得せず前記媒体からマークを検出した場合には第１の所定情報を出力する。第１の案内部は、前記コードリーダから出力される前記第１の所定情報に基づいて前記媒体の提示を要求する。処理部は、前記コードリーダから出力される前記コードデータに基づいて所定の処理を行う。前記コードデータは、所定の情報とコードＩＤとから構成される。前記コードリーダは、前記所定の情報を取得せず前記コードＩＤを取得した場合に前記コードＩＤを出力する。前記第１の案内部は、前記コードリーダが前記所定の情報を取得せずに前記コードＩＤを取得した場合に、前記媒体の提示を要求する。前記処理部は、前記コードＩＤと次に前記コードリーダが出力したコードデータに含まれるコードＩＤとが一致した場合に、前記コードデータに基づいて所定の処理を行う。
【図面の簡単な説明】
【０００７】
【図１】図１は、実施形態に係る処理システムの構成例を示すブロック図である。
【図２】図２は、実施形態に係る券媒体の構成例を示す図である。
【図３】図３は、実施形態に係る券紙の裏面の構成例を示す図である。
【図４】図４は、実施形態に係る券紙の裏面の他の構成例を示す図である。
【図５】図５は、実施形態に係る発行機の構成例を示す図である。
【図６】図６は、実施形態に係る処理機の構成例を示す図である。
【図７】図７は、実施形態に係る発行機の動作例を説明するためのフローチャートである。
【図８】図８は、実施形態に係る処理機の動作例を説明するためのフローチャートである。
【図９】図９は、実施形態に係る処理機の動作例を説明するためのフローチャートである。
【発明を実施するための形態】
【０００８】
以下、図面を参照しながら実施形態について説明する。  
実施形態に係る処理システムは、コードが記録された券媒体を処理する。たとえば、処理システムは、利用者に対して種々の券媒体を発行し、発行された券媒体に種々の情報を書き込む。
【０００９】
たとえば、処理システムは、駅などに設置され、乗車券情報を示すコードが記録された券媒体を処理する。また、処理システムは、券媒体としてテーマパーク又は映画館などのチケットを処理するものであってもよい。また、処理システムは、券媒体として飲食店などで食券を処理してもよい。券売機が用いられる用途及び券媒体の内容は、特定の構成に限定されるものではない。
【００１０】
ここでは、処理システムは、駅などに設置され、乗車券情報などを示す券媒体を処理するものとする。  
図１は、実施形態に係る処理システム１００の構成例を示すブロック図である。  
図１が示すように、処理システム１００は、券媒体１、発行機２及び処理機３などを備える。
【００１１】
券媒体１は、乗車券情報などを示すコードを有する。
【００１２】
発行機２は、乗車券情報などを示すコードを有する券媒体１を発行する。ここでは、発行機２は、自動券売機として用いられる。発行機２は、利用者又は係員などの操作に基づいて、乗車券又は特急券などとして券媒体１を発行する。なお、発行機２は、精算機として用いられてもよい。この場合、発行機２は、利用者又は係員などの操作に基づいて、精算券などとして券媒体１を発行する。
【００１３】
処理機３は、券媒体１からコードを読み取り、読み取ったコードをデコードし、データを取得する。例えば、コードは、エラー訂正コードを含み、仮にコードの一部分が欠落していても（コードの一部分が読み取られなくても）、エラー訂正コードによりコードをデコードすることができる。このようにして、処理機３は、コードのデコードを試行し、コードからデータを取得する。処理機３は、デコードして得られたデータに基づいて所定の処理を実行する。ここでは、処理機３は、自動改札機として用いられる。処理機３は、券媒体１からコードを読み取り、コードをデコードして乗車券情報を取得する。処理機３は、得られた乗車券情報に基づいて改札処理を行う。なお、処理機３は、係員処理機として用いられてもよい。
【００１４】
次に、券媒体１について説明する。  
図２は、券媒体１の構成例を示す。  
券媒体１は、たとえば、矩形の感熱媒体である。券媒体１は、外部から熱を加えられると、加えられた部分が所定の色に変化する。たとえば、券媒体１は、熱により黒色に変化する。たとえば、券媒体１は、紙、プラスチック、又は、ビニールなどである。
【００１５】
図２が示すように、券媒体１は、データコード１１及び検出マーク１２ａ乃至１２ｇなどを備える。
【００１６】
データコード１１は、所定のデータをエンコードして作成されるコードである。データコード１１は、券媒体１を発行する発行機などによって券媒体１上に印刷される。たとえば、発行機は、券媒体１を加熱することで、データコード１１を券媒体１上に印刷する。ここでは、データコード１１は、二次元コードである。たとえば、データコード１１は、ＱＲコード（登録商標）である。
【００１７】
たとえば、データコード１１は、乗車券情報及びコードＩＤを含むデータを示すものである。即ち、データコード１１は、乗車券情報及びコードＩＤをエンコードして作成されるものである。データコード１１が示す情報は、特定の構成に限定されるものではない。
【００１８】
検出マーク１２ａ乃至１２ｇは、データコード１１の存在を示す。たとえば、検出マーク１２ａ乃至１２ｇは、検出マーク１２ａ乃至１２ｇの基準位置から所定の範囲内にデータコード１１があることを示す。例えば、データコード１１が、ＱＲコードの場合、検出マーク１２ａ乃至１２ｇは、ＱＲコードのＦＰ（ファインダパターン）であってもよい。
【００１９】
データコード１１は、検出マーク１２を少なくとも１つを備えてもよい。図２が示す例では、検出マーク１２ａ乃至１２ｃは、データコード１１内に形成される。即ち、検出マーク１２ａ乃至１２ｃは、データコード１１の一部として形成される。検出マーク１２ａ乃至１２ｃは、データコード１１の位置及び／又は方向を示してもよい。たとえば、処理機３は、検出マーク１２ａ乃至１２ｃの位置からデータコード１１の位置及び／又は方向を認識してもよい。
【００２０】
検出マーク１２ａ乃至１２ｃは、それぞれデータコード１１の角に形成される。図２が示す例では、検出マーク１２ａ乃至１２ｃは、それぞれデータコード１１の左上、右上、及び、左下に形成される。なお、検出マーク１２は、データコード１１の中心部に形成されてもよいし、その他の箇所に形成されてもよい。データコード１１内に形成される検出マーク１２の位置及び個数は、特定の構成に限定されるものではない。
【００２１】
券媒体１は、コード領域外に検出マーク１２を少なくとも１つ有してもよい。図２が示す例では、検出マーク１２ｄ乃至１２ｇは、データコード１１の領域外（コード外領域）に形成される。図２が示す例では、検出マーク１２ｄ乃至１２ｇは、それぞれ券媒体１の左上、左下、右上、及び、右下に形成される。なお、検出マークは、コードがコード外領域のその他の箇所に形成されてもよい。コード外領域に形成される検出マーク１２の位置及び個数は、特定の構成に限定されるものではない。
【００２２】
また、コード外領域に形成される検出マーク１２は、券媒体１を形成する券紙に予め形成されるものであってもよい。  
なお、券媒体１は、データコード１１又は検出マーク１２ａ乃至１２ｇが形成される領域外に文字列などを備えてもよい。たとえば、券媒体１は、当該領域にデータコード１１に関連する文字列を備えてもよい。
【００２３】
図２を参照して説明したように、券媒体１の第１面（表面）はデータコード１１及び検出マーク１２ａ乃至１２ｇなどを備える。次に、券媒体１の第２面（裏面）について説明する。  
図３は、券媒体１の裏面の構成例を示す。  
図３が示すように、券媒体１の裏面は、検出マーク１２ｈ乃至１２ｋなどを備える。検出マーク１２ｈ乃至１２ｋは、検出マーク１２ａ乃至１２ｇと同様の構成である。
【００２４】
図３が示す例では、検出マーク１２ｈ乃至１２ｋは、それぞれ券媒体１の裏面の左上、左下、右上、及び、右下に形成される。なお、券媒体１の裏面は、他の位置に検出マーク１２を備えてもよい。券媒体１の裏面が備える検出マーク１２の個数及び位置は、特定の構成に限定されるものではない。
【００２５】
次に、券媒体１の裏面の他の構成例について説明する。  
図４は、券媒体１の裏面の他の構成例を示す。  
図４が示すように、券媒体１の裏面は、隠蔽層１３及び検出用コード１４などを備える。
【００２６】
隠蔽層１３は、所定の専用光を用いて情報（コード）が読み取られる層である（専用光により情報が読み取り可能となる記録領域である）。隠蔽層１３は、所定の専用光を透過し、可視光を透過しない。たとえば、処理機３のコードリーダは、所定の専用光を照射して、隠蔽層１３の下にあるコード等からの反射光を得ることができる。
【００２７】
専用光は、処理機３のコードリーダが読み取ることができる不可視光である。専用光は、たとえば、紫外線又は赤外線などである。  
なお、隠蔽層１３は、券媒体１の裏面の全体に形成されてもよい。
【００２８】
検出用コード１４は、所定の情報をエンコードして作成されるコードである。たとえば、検出用コード１４は、いずれの券媒体１であっても同様の情報を示すものであってもよい。たとえば、検出用コード１４は、自身が裏面に形成されていることを示すものであってもよい。また、検出用コード１４は、テスト用のコードであってもよい。たとえば、検出用コード１４は、ＱＲコードである。
【００２９】
検出用コード１４は、隠蔽層１３の下に形成される。そのため、検出用コード１４は、所定の専用光で読み取られる。即ち、検出用コード１４は、不可視光で読取可能である。
【００３０】
次に、発行機２の構成例について説明する。  
図５は、実施形態に係る発行機２の構成例を示すブロック図である。  
図５が示すように、発行機２は、ＣＰＵ２１、ＲＯＭ２２、ＲＡＭ２３、ＮＶＭ２４、通信部２５、表示部２６、操作部２７、磁気券処理部２８、カードリーダライタ２９、金額処理部３０、及び、印刷部３１などを備える。ＣＰＵ２１は、データバスなどを介して、ＲＯＭ２２、ＲＡＭ２３、ＮＶＭ２４、通信部２５、表示部２６、操作部２７、磁気券処理部２８、カードリーダライタ２９、金額処理部３０、及び、印刷部３１と通信可能に接続する。
【００３１】
ＣＰＵ２１は、発行機２全体の動作を制御する機能を有する。ＣＰＵ２１は、内部キャッシュおよび各種のインターフェースなどを備えても良い。ＣＰＵ２１は、内部メモリ、ＲＯＭ２２あるいはＮＶＭ２４に予め記憶したプログラムを実行することにより種々の処理を実現する。
【００３２】
なお、ＣＰＵ２１がプログラムを実行することにより実現する各種の機能のうちの一部は、ハードウエア回路により実現されるものであっても良い。この場合、ＣＰＵ２１は、ハードウエア回路により実行される機能を制御する。
【００３３】
ＲＯＭ２２は、予め制御用のプログラム及び制御データなどが記憶された不揮発性のメモリである。ＲＯＭ２２に記憶される制御プログラム及び制御データは、予め発行機２の仕様に応じて組み込まれる。ＲＯＭ２２は、たとえば、発行機２の回路基板を制御するプログラム（例えば、ＢＩＯＳ）などを格納する。
【００３４】
ＲＡＭ２３は、揮発性のメモリである。ＲＡＭ２３は、ＣＰＵ２１の処理中のデータなどを一時的に格納する。ＲＡＭ２３は、ＣＰＵ２１からの命令に基づき種々のアプリケーションプログラムを格納する。また、ＲＡＭ２３は、アプリケーションプログラムの実行に必要なデータ及びアプリケーションプログラムの実行結果などを格納してもよい。
【００３５】
ＮＶＭ２４は、データの書き込み及び書き換えが可能な不揮発性のメモリである。ＮＶＭ２４は、例えばＥＥＰＲＯＭ（登録商標）（Electric Erasable Programmable Read-Only Memory）、ＨＤＤ（Hard Disc Drive）、又は、ＳＳＤ（Solid State Drive）などである。ＮＶＭ２４は、発行機２の運用用途に応じて制御プログラム、アプリケーション、及び種々のデータを格納する。また、ＮＶＭ２４は、ＣＰＵ２１が種々の処理を実行することで生成したデータを保存する。
【００３６】
通信部２５は、上位装置としてのホストコンピュータなどとの通信を行うインターフェースである。
【００３７】
表示部２６は、ＣＰＵ２１からの信号に基づいて種々の情報を表示する。たとえば、表示部２６は、乗車券情報を選択するアイコンなどを表示してもよい。表示部２６は、たとえば、液晶ディスプレイなどである。
【００３８】
操作部２７は、発行機２の操作者によって、種々の操作が入力される。たとえば、操作部２７は、印刷部３１に券媒体１を発行させる発行操作の入力を受け付ける。操作部２７は、操作者に入力された指示のデータをＣＰＵ２１へ送信する。操作部２７は、たとえば、キーボード、テンキー、及び、タッチパネルなどである。
【００３９】
なお、表示部２６と操作部２７とは、一体的に形成されてもよい。即ち、表示部２６は、指示を入力するためのアイコンを表示し、操作部２７は、アイコンへのタッチを検出することで操作の入力を受け付けてもよい。
【００４０】
磁気券処理部２８は、磁気定期券に記録されている磁気情報を読み取り、又は、磁気定期券に磁気情報を書き込む。
【００４１】
カードリーダライタ２９は、ＩＣカードに記録されている情報を読み取り、又は、ＩＣカードに情報を書き込む。
【００４２】
金額処理部３０は、駅の係員が投入した現金あるいは金額カード（プリペイドカードやクレジットカード）を処理する。たとえば、金額処理部３０は、駅の係員が投入した現金を集計し、駅の係員が投入した現金の金額を決定する。また、金額処理部３０は、釣銭を放出する機能を有する。たとえば、金額処理部３０は、ＣＰＵ２１からの命令に基づいて、釣銭を放出する。
【００４３】
印刷部３１は、ＣＰＵ２１の制御に基づいて、券媒体１に情報を印刷する。たとえば、印刷部３１は、券媒体１を加熱することで券媒体１に画像を形成する。印刷部３１は、券媒体１を利用者へ提供する。即ち、印刷部３１は、利用者が取得可能なように券媒体１を露出させる。たとえば、印刷部３１は、外部に露出する受け皿、及び、券媒体１を受け皿まで搬送する搬送部などを備えてもよい。
【００４４】
なお、発行機２は、上述した構成以外の構成要素を適宜追加しても良いし、特定の構成を除外してもよい。
【００４５】
次に、処理機３の構成について説明する。  
図６は、実施形態に係る処理機３の構成例を示すブロック図である。  
図６が示すように、処理機３は、ＣＰＵ４１、ＲＯＭ４２、ＲＡＭ４３、ＮＶＭ４４、通信部４５、表示部４６、スピーカ部４７、磁気券処理部４８、カードリーダライタ４９、コードリーダ５０、ドア機構５１、及び、人感センサ５２などを備える。ＣＰＵ４１は、データバスなどを介して、ＲＯＭ４２、ＲＡＭ４３、ＮＶＭ４４、通信部４５、表示部４６、磁気券処理部４８、カードリーダライタ４９、コードリーダ５０、ドア機構５１、及び、人感センサ５２と通信可能に接続する。
【００４６】
ＣＰＵ４１は、処理機３全体の動作を制御する機能を有する。ＣＰＵ４１は、内部キャッシュおよび各種のインターフェースなどを備えても良い。ＣＰＵ４１は、内部メモリ、ＲＯＭ４２あるいはＮＶＭ４４に予め記憶したプログラムを実行することにより種々の処理を実現する。
【００４７】
なお、ＣＰＵ４１がプログラムを実行することにより実現する各種の機能のうちの一部は、ハードウエア回路により実現されるものであっても良い。この場合、ＣＰＵ４１は、ハードウエア回路により実行される機能を制御する。
【００４８】
ＲＯＭ４２は、予め制御用のプログラム及び制御データなどが記憶された不揮発性のメモリである。ＲＯＭ４２に記憶される制御プログラム及び制御データは、予め処理機３の仕様に応じて組み込まれる。ＲＯＭ４２は、たとえば、処理機３の回路基板を制御するプログラム（例えば、ＢＩＯＳ）などを格納する。
【００４９】
ＲＡＭ４３は、揮発性のメモリである。ＲＡＭ４３は、ＣＰＵ４１の処理中のデータなどを一時的に格納する。ＲＡＭ４３は、ＣＰＵ４１からの命令に基づき種々のアプリケーションプログラムを格納する。また、ＲＡＭ４３は、アプリケーションプログラムの実行に必要なデータ及びアプリケーションプログラムの実行結果などを格納してもよい。
【００５０】
ＮＶＭ４４は、データの書き込み及び書き換えが可能な不揮発性のメモリである。ＮＶＭ４４は、例えばＥＥＰＲＯＭ（Electric Erasable Programmable Read-Only Memory）、ＨＤＤ（Hard Disc Drive）、又は、ＳＳＤ（Solid State Drive）などである。ＮＶＭ４４は、処理機３の運用用途に応じて制御プログラム、アプリケーション、及び種々のデータを格納する。また、ＮＶＭ４４は、ＣＰＵ４１が種々の処理を実行することで生成したデータを保存する。
【００５１】
通信部４５は、上位装置としてのホストコンピュータなどとの通信を行うインターフェースである。
【００５２】
表示部４６は、ＣＰＵ４１からの信号に基づいて種々の情報を表示する。たとえば、表示部４６は、通行の可否、又は、読み取りエラーなどのエラーメッセージなどを表示してもよい。表示部４６は、たとえば、液晶ディスプレイなどである。
【００５３】
スピーカ部４７は、ＣＰＵ４１からの信号に基づいて種々の情報を音で出力する。たとえば、スピーカ部４７は、通行不可又は読み取りエラーなどを示す警告音又は警告音声などを出力する。
【００５４】
磁気券処理部４８は、磁気定期券に記録されている磁気情報を読み取り、又は、磁気定期券に磁気情報を書き込む。
【００５５】
カードリーダライタ４９は、ＩＣカードに記録されている情報を読み取り、又は、ＩＣカードに情報を書き込む。
【００５６】
コードリーダ５０は、利用者が翳すシート（たとえば、券媒体１）又は画面などの媒体からコードを読み取る。ここでは、コードリーダ５０は、二次元コードを読み取る。コードリーダ５０は、たとえば、光を媒体に照射してその反射光を取得することで、券媒体１から二次元コードを読み取る。また、コードリーダ５０は、媒体としての画面などが発する光を取得することで画像を取得する。また、コードリーダ５０は、可視光などの通常光を用いて二次元コードを読み取ってもよい。また、コードリーダ５０は、不可視光を用いて画像を取得することができる。即ち、コードリーダ５０は、不可視光である所定の専用光を用いて画像を取得する。コードリーダ５０は、コードを読み取るためのカメラ及び／又は照明などを備える。
【００５７】
コードリーダ５０は、読み取ったデータコード１１をデコードして、コードデータを取得する。コードリーダ５０は、取得されたコードデータをＣＰＵ４１へ送信する。  
また、コードリーダ５０は、データコードの読み取りに失敗したが（つまりコードデータの取得に失敗したが）検出マーク１２の検出に成功した場合、コードの読み取りに失敗したことを示す読取異常通知（第１の所定情報）、又は検出マークの検出（成功）を示すマーク検出情報（第１の所定情報）をＣＰＵ４１へ送信する。
【００５８】
また、コードリーダ５０は、データコード１１から乗車券情報の読み取りに失敗したが検出マーク１２及びコードＩＤの読み取りに成功した場合、読取異常通知又はマーク検出情報、及び、コードＩＤをＣＰＵ４１に出力する。
【００５９】
また、コードリーダ５０は、検出用コード１４を読み取った場合、券媒体１の裏面が翳されたことを示す裏面検出通知（第２の所定情報）、又は、検出用コードの検出を示す検出用コード検出情報（第２の所定情報）を送信する。
【００６０】
ドア機構５１は、処理機３を通過する利用者を制御するために設けられているドアである。ドア機構５１は、処理機３が形成する通行路側に設けられる。ドア機構５１は、ＣＰＵ４１の制御に従って、通行不可と判定された利用者の通行を阻止する。
【００６１】
人感センサ５２は、処理機３が形成する通行路に利用者が進入したことを検知するセンサである。たとえば、人感センサ５２は、通行路の所定の位置（たとえば、通行路の中腹部）に利用者が侵入すると利用者を検知する。たとえば、人感センサ５２は、赤外線の遮断を検出して、利用者の進入を検知する。人感センサ５２が利用者の進入を検知する方法は、特定の方法に限定されるものではない。
【００６２】
なお、処理機３は、上述した構成以外の構成要素を適宜追加しても良いし、特定の構成を除外してもよい。
【００６３】
次に、発行機２のＣＰＵ２１が実現する機能について説明する。  
ＣＰＵ２１は、乗車券情報を設定する機能を有する（設定部）。乗車券情報は、利用可能な乗車区間などを示す。たとえば、乗車券情報は、発着駅、有効期間、及び、有効区間などを備える。有効区間は、たとえば、終着駅又は乗車料金などである。乗車券情報は、鉄道会社などを備えてもよい。乗車券情報は、特定の構成に限定されるものではない。
【００６４】
ＣＰＵ２１は、券媒体１を発行する際に、券媒体１に印刷するデータコード１１に含まれる乗車券情報を設定する。たとえば、ＣＰＵ２１は、操作部２７を通じて利用者又は係員から乗車券情報を設定する入力を受け付ける。また、ＣＰＵ２１は、図示されないコードリーダなどを通じて乗車券情報を含むコードなどを利用者が所持する携帯端末などから読み取ってもよい。
【００６５】
また、ＣＰＵ２１は、券媒体１に印刷するデータコード１１に含まれるコードＩＤを設定する機能を有する。コードＩＤは、データコード１１を識別する。たとえば、コードＩＤは、データコード１１ごとにユニークに決定される。コードＩＤは、たとえば、文字列、数字、記号、又は、それらの組み合わせなどである。
【００６６】
たとえば、ＣＰＵ２１は、ランダムに生成した文字列などをコードＩＤとして設定する。また、ＣＰＵ２１は、所定のリストから文字列などを取得し、取得された文字列などをコードＩＤとして設定する。
【００６７】
また、ＣＰＵ２１は、設定された乗車券情報及び設定されたコードＩＤを含むデータコード１１を生成する機能を有する（生成部）。たとえば、ＣＰＵ２１は、所定のアルゴリズムに従って乗車券情報及びコードＩＤをエンコードして、データコード１１を生成する。なお、ＣＰＵ２１は、乗車券情報及びコードＩＤに加えて他のデータも示すデータコード１１を生成してもよい。
【００６８】
また、ＣＰＵ２１からの指示に基づき、印刷部３１は、券媒体１に、所定の位置にデータコード１１とコード外領域に検出マーク１２とを印刷する。たとえば、ＣＰＵ２１からの指示に基づき、印刷部３１は、券媒体１を加熱することでデータコード１１を印刷する。また、ＣＰＵ２１からの指示に基づき、印刷部３１は、券媒体１を加熱することでコード外領域の所定の位置に検出マーク１２を印刷する。たとえば、図２に示すように、ＣＰＵ２１からの指示に基づき、印刷部３１は、データコード１１を印刷し、券媒体１の四隅に検出マーク１２（たとえば、検出マーク１２ｄ乃至１２ｇ）を印刷する。なお、ＣＰＵ２１からの指示に基づき、印刷部３１は、券媒体１の裏面にも検出マーク１２（たとえば、検出マーク１２ｈ乃至１２ｋ）を印刷してもよい。
【００６９】
次に、処理機３のＣＰＵ４１が実現する機能について説明する。  
ＣＰＵ４１は、コードリーダ５０を通じてシート又は画面などの媒体からコードを読み取る機能を有する。即ち、ＣＰＵ４１は、コードリーダ５０からシートに記録されたコード又は画面などの媒体に表示されるデータコード１１又は検出用コード１４を読み取る。たとえば、ＣＰＵ４１は、コードリーダ５０が出力するコードデータ又は第２の所定情報を受信する。
【００７０】
また、ＣＰＵ４１は、取得されたコードデータに基づいて改札処理（所定の処理）を行う機能を有する（処理部）。即ち、ＣＰＵ４１は、取得されたコードデータ（たとえば、乗車券情報を含む）に基づいて、ドア機構５１を制御する。たとえば、ＣＰＵ４１は、取得されたコードデータ、処理機３が設置される駅、及び、現日時などに基づいて、利用者が通行可能であるか判定する。ＣＰＵ４１は、利用者が通行可能であると判定すると、ドア機構５１を開放する。また、ＣＰＵ４１は、利用者が通行可能でないと判定すると、ドア機構５１を閉鎖する。
【００７１】
また、ＣＰＵ４１は、コードリーダ５０が読取異常通知又はマーク検出情報を出力した場合に、出力される所定の情報に基づいて利用者にコードを記録したシート又はコードを表示した画面などの媒体の提示（再提示）を要求する機能、たとえば、コードリーダ５０に媒体を再度翳すことを促す機能を有する（第１の案内部）。たとえば、ＣＰＵ４１は、コードリーダ５０から読取異常通知又はマーク検出情報を受信すると、表示部４６又はスピーカ部４７を通じて利用者にシート又は画面をコードリーダ５０に再度翳すように促す。たとえば、ＣＰＵ４１は、シート又は画面をコードリーダ５０に再度翳すように促すメッセージを表示部４６に表示する。また、ＣＰＵ４１は、スピーカ部４７を通じて、シート又は画面をコードリーダ５０に再度翳すように促す警告音又は警告音声を出力してもよい。
【００７２】
なお、ＣＰＵ４１は、コードリーダ５０からコードデータを受信しなくても、読取異常通知又はマーク検出情報を受信した場合には、人感センサ５２を通じて利用者の進入を検出してもコードリーダ５０の読み取り動作を継続する。これにより、コードリーダ５０によるコードの読み取り機会を提供し続ける。また、ＣＰＵ４１は、コードリーダ５０からコードデータを受信せず、読取異常通知又はマーク検出情報も受信しなければ、人感センサ５２を通じて利用者の進入を検出するとコードリーダ５０の読み取り動作を停止する。
【００７３】
また、ＣＰＵ４１は、コードリーダ５０から読取異常通知又はマーク検出情報、及び、コードＩＤを受信した場合には、人感センサ５２を通じて利用者の進入を検出してもコードリーダ５０の読み取り動作を継続する。これにより、ＣＰＵ４１は、コードリーダ５０によるコードの読み取りの機会を提供し続ける。この場合、ＣＰＵ４１は、コードＩＤをＲＡＭ４３に格納する。コードリーダ５０から次のコードデータを受信した場合、ＣＰＵ４１は、受信したコードデータのコードＩＤとＲＡＭ４３が格納するコードＩＤとを比較する。ＣＰＵ４１は、両者が一致する場合に、受信したコードデータに基づいて改札処理を行う。ＣＰＵ４１は、両者が一致しない場合には、ドア機構５１を閉鎖し、コードリーダ５０によるコードの読み取りを停止する。また、ＣＰＵ４１は、所定の案内又は警告音若しくは警告音声などを出力してもよい。
【００７４】
また、ＣＰＵ４１は、コードリーダ５０が裏面検出通知又は検出用コード情報を出力した場合に、出力される所定の情報に基づいて利用者にコードを記録したシート又はコードを表示した画面などの媒体の適切な面を提示することを要求する機能、たとえば、コードリーダ５０にデータコード１１を備える券媒体１の第１面（表面）を翳すことを要求する機能を有する（第２の案内部）。たとえば、ＣＰＵ４１は、コードリーダ５０から裏面検出通知又は検出用コード情報を受信すると、表示部４６又はスピーカ部４７を通じて利用者にシート又は画面をコードリーダ５０に券媒体１の表面を度翳すように促す。たとえば、ＣＰＵ４１は、シート又は画面をコードリーダ５０に券媒体１の表面を翳すように促すメッセージを表示部４６に表示する。また、ＣＰＵ４１は、スピーカ部４７を通じて、シート又は画面をコードリーダ５０に券媒体１の表面を翳すように促す警告音又は警告音声を出力してもよい。
【００７５】
次に、発行機２の動作例について説明する。  
図７は、発行機２の動作例について説明するためのフローチャートである。  
ここでは、発行機２の利用者は、操作部２７を通じて所定の乗車券情報を設定する操作を発行機２に入力するものとする。
【００７６】
まず、発行機２のＣＰＵ２１は、操作部２７を通じて乗車券情報を設定する操作を受け付けたか判定する（Ｓ１１）。乗車券情報を設定する入力を受けつていないと判定すると（Ｓ１１、ＮＯ）、ＣＰＵ２１は、Ｓ１１に戻る。乗車券情報を設定する入力を受け付けたと判定すると（Ｓ１１、ＹＥＳ）、ＣＰＵ２１は、カードリーダライタ２９又は金額処理部３０を通じて、設定された乗車券情報に対応する料金を決済したか判定する（Ｓ１２）。料金を決済していないと判定すると（Ｓ１２、ＮＯ）、ＣＰＵ２１は、Ｓ１２に戻る。
【００７７】
料金を決済したと判定すると（Ｓ１２、ＹＥＳ）、ＣＰＵ２１は、コードＩＤを設定する（Ｓ１３）。コードＩＤを設定すると、ＣＰＵ２１は、設定された乗車券情報及びコードＩＤを含むデータコード１１を生成する（Ｓ１４）。
【００７８】
データコード１１を生成すると、ＣＰＵ２１の指示に基づき、印刷部３１は、券媒体１に、所定の位置にデータコード１１と、コード外領域に検出マーク１２とを印刷する（Ｓ１５）。券媒体１にデータコード１１と検出マーク１２とを印刷すると、ＣＰＵ２１の指示に基づき、印刷部３１は、券媒体１を外部に排出する（Ｓ１６）。この印刷部３１による券媒体１の排出機能が、券媒体１の発行機能に相当する（発行部）。
【００７９】
券媒体１を外部に排出すると、ＣＰＵ２１は、動作を終了する。
【００８０】
次に、処理機３の動作例について説明する。  
図８及び９は、処理機３の動作例について説明するためのフローチャートである。  
まず、処理機３のＣＰＵ４１は、人感センサ５２を通じて、通行路内に利用者が進入したか判定する（Ｓ２１）。即ち、ＣＰＵ４１は、利用者が無札進入したかを判定する。
【００８１】
通行路内に利用者が進入していないと判定すると（Ｓ２１、ＮＯ）、ＣＰＵ４１は、コードリーダ５０から信号を受信したか判定する（Ｓ２２）。コードリーダ５０から信号を受信していないと判定すると（Ｓ２２、ＮＯ）、ＣＰＵ４１は、Ｓ２１へ戻る。
【００８２】
コードリーダ５０から信号を受信したと判定すると（Ｓ２２、ＹＥＳ）、ＣＰＵ４１は、コードリーダ５０からの信号が裏面検出通知又は検出用コード情報であるか判定する（Ｓ２３）。
【００８３】
コードリーダ５０からの信号が裏面検出通知又は検出用コード情報でないと判定すると（Ｓ２３、ＮＯ）、ＣＰＵ４１は、コードリーダ５０からの信号が読取異常通知又はマーク検出情報であるか判定する（Ｓ２４）。コードリーダ５０からの信号が読取異常通知又はマーク検出情報でないと判定すると（Ｓ２４、ＮＯ）、ＣＰＵ４１は、コードリーダ５０からの信号が乗車券情報を含むか判定する（Ｓ２５）。
【００８４】
コードリーダ５０からの信号が乗車券情報を含むと判定すると（Ｓ２５、ＹＥＳ）、ＣＰＵ４１は、コードリーダ５０からの乗車券情報に従って改札処理を実行する（Ｓ２６）。
【００８５】
コードリーダ５０からの信号が乗車券情報を含まないと判定すると（Ｓ２５、ＮＯ）、ＣＰＵ４１は、コードリーダ５０からの信号に基づいて他の処理を実行する（Ｓ２７）。
【００８６】
通行路内に利用者が進入したと判定すると（Ｓ２１、ＹＥＳ）、ＣＰＵ４１は、コードリーダ５０の読み取り動作をオフにする（Ｓ２８）。コードリーダ５０の読み取り動作をオフにすると、ＣＰＵ４１は、ドア機構５１を閉鎖する（Ｓ２９）。ドア機構を閉鎖すると、ＣＰＵ４１は、スピーカ部４７を通じて無札進入が生じたことを示す警告音又は警告音声を出力する（Ｓ３０）。警告音又は警告音声を出力すると、ＣＰＵ４１は、無札進入が生じたことを示すメッセージを表示部４６に表示する（Ｓ３１）。
【００８７】
改札処理を実行した場合（Ｓ２６）、コードリーダ５０からの信号に基づいて他の処理を実行した場合（Ｓ２７）、又は、無札進入が生じたことを示すメッセージを表示部４６に表示した場合（Ｓ３１）、ＣＰＵ４１は、動作を終了する。
【００８８】
コードリーダ５０からの信号が裏面検出通知又は検出用コード情報であると判定すると（Ｓ２３、ＹＥＳ）、ＣＰＵ４１は、ドア機構５１を閉鎖する（Ｓ３２）。ドア機構を閉鎖すると、ＣＰＵ４１は、スピーカ部４７を通じて表面を翳すことを促す警告音又は警告音声を出力する（Ｓ３３）。警告音又は警告音声を出力すると、ＣＰＵ４１は、表面を翳すことを促すメッセージを表示部４６に表示する（Ｓ３４）。なお、ＣＰＵ４１は、コードリーダ５０の読み取り動作を継続する。
【００８９】
メッセージを表示すると、ＣＰＵ４１は、コードリーダ５０から信号を受信したか判定する（Ｓ３５）。コードリーダ５０から信号を受信していないと判定すると（Ｓ３５、ＮＯ）、ＣＰＵ４１は、Ｓ３５へ戻る。コードリーダ５０から信号を受信したと判定すると（Ｓ３５、ＹＥＳ）、ＣＰＵ４１は、Ｓ２３へ進む。
【００９０】
コードリーダ５０からの信号が読取異常通知又はマーク検出情報であると判定すると（Ｓ２４、ＹＥＳ）、ＣＰＵ４１は、ドア機構５１を閉鎖する（Ｓ３６）。ドア機構を閉鎖すると、ＣＰＵ４１は、スピーカ部４７を通じて、再度媒体を翳すことを促す警告音又は警告音声を出力する（Ｓ３７）。警告音又は警告音声を出力すると、ＣＰＵ４１は、再度媒体を翳すことを促すメッセージを表示部４６に表示する（Ｓ３８）。
【００９１】
メッセージを表示すると、ＣＰＵ４１は、コードリーダ５０からの信号がコードＩＤを含むかを判定する（Ｓ３９）。コードリーダ５０からの信号がコードＩＤを含まないと判定すると（Ｓ３９、ＮＯ）、ＣＰＵ４１は、Ｓ３５へ進む。
【００９２】
Ｓ２２で受信されたコードリーダ５０からの信号がコードＩＤを含むと判定すると（Ｓ３９、ＹＥＳ）、ＣＰＵ４１は、コードＩＤをＲＡＭ４３に格納する（Ｓ４０）。なお、ＣＰＵ４１は、コードリーダ５０の読み取り動作を継続する。
【００９３】
コードＩＤをＲＡＭ４３に格納すると、ＣＰＵ４１は、コードリーダ５０から信号を受信したか判定する（Ｓ４１）。コードリーダ５０から信号を受信していないと判定すると（Ｓ４１、ＮＯ）、ＣＰＵ４１は、Ｓ４１へ戻る。
【００９４】
コードリーダ５０から信号を受信したと判定すると（Ｓ４１、ＹＥＳ）、ＣＰＵ４１は、コードリーダ５０の信号が乗車券情報を含み、かつ、コードリーダ５０の信号が含むコードＩＤがＳ４０で格納されたコードＩＤと一致するか判定する（Ｓ４２）。
【００９５】
コードリーダ５０の信号が乗車券情報を含み、かつ、コードリーダ５０の信号が含むコードＩＤがＳ４０で格納されたコードＩＤと一致すると判定すると（Ｓ４２、ＹＥＳ）、ＣＰＵ４１は、Ｓ２６に進む。
【００９６】
コードリーダ５０の信号が乗車券情報を含まず、又は、コードリーダ５０の信号が含むコードＩＤがＳ４０で格納されたコードＩＤと一致しないと判定すると（Ｓ４２，ＮＯ）、ＣＰＵ４１は、コードリーダ５０の読み取り動作をオフにする（Ｓ４３）。コードリーダ５０の読み取り動作をオフにすると、ＣＰＵ４１は、スピーカ部４７を通じて、最初に翳された媒体と異なる媒体が翳されたことを示す警告音又は警告音声を出力する（Ｓ４４）。
【００９７】
警告音又は警告音声を出力すると、ＣＰＵ４１は、最初に翳された媒体と異なる媒体が翳されたことを示すメッセージを表示部４６に表示する（Ｓ４５）。メッセージを表示すると、ＣＰＵ４１は、動作を終了する。
【００９８】
なお、ＣＰＵ４１は、Ｓ４２で、コードリーダ５０の信号が読取異常通知又はマーク検出情報を含み、かつ、コードリーダ５０の信号が含むコードＩＤがＳ４０で格納されたコードＩＤと一致する場合には、媒体の再翳しを促す警告音、警告音声、又は、メッセージを出力してもよい。
【００９９】
なお、ＣＰＵ４１は、Ｓ２８乃至Ｓ３１、Ｓ３２乃至Ｓ３４、Ｓ３６乃至Ｓ３８、又は、Ｓ４３乃至Ｓ４５の順序を入れ替えてもよい。また、ＣＰＵ４１は、Ｓ２８乃至Ｓ３１、Ｓ３２乃至Ｓ３４、Ｓ３６乃至Ｓ３８、又は、Ｓ４３乃至Ｓ４５を同時に実行してもよい。
【０１００】
以上のように構成された処理機は、利用者が翳したシート又は画面などの媒体からコードを読み取ることに失敗した場合（コードデータの取得に失敗した場合）、コードリーダによるコードの読み取り及び取得の動作を継続しつつ（コードリーダをオフにせず）、利用者にシート又は画面などの媒体をコードリーダに再度翳すことを促すことができる。その結果、処理機は、コードの読み取りに失敗した後もコードの読取機会を提供し続け、コードの読取確率（つまりコードデータの取得確率）を高めることができ、スムーズに利用者の改札処理を行うことができる。即ち、処理機は、コードリーダからの出力に基づく処理効率の低下防止に優れる。
【０１０１】
また、処理機は、コードからコードＩＤを読み取れた場合には、当該コードＩＤと次に読み取ったコードのコードＩＤとを比較する。処理機は、両者が一致した場合に、改札処理を実行する。その結果、処理機は、後続する利用者が翳した媒体のコードに基づいて先行する利用者の改札処理を行ってしまうことを防止することができる。
【０１０２】
また、発行機２により発行される券媒体がコード外領域にも検出マークを備えることで、処理機は、検出マークを検出しやすくなり、より確実にコードの読み取りに失敗したことを検知することができる。即ち、処理機は、コードリーダからの出力に基づく処理効率の低下防止に寄与する。
【０１０３】
また、処理機は、利用者が裏面を翳したことを検出することができる。処理機は、裏面が翳されたことを検出すると、利用者に表面を翳すことを促すことができる。その結果、処理機は、コードリーダからの出力に基づく処理効率の低下防止に寄与する。
【０１０４】
なお、上記各機能及び各処理を実現するための手順は全てソフトウェアによって実行することが可能である。このため、上記各機能及び各処理を実現するための手順を実行するプログラムを格納したコンピュータ読み取り可能な記憶媒体を通じてこのプログラムを処理システム１００の発行機２及び処理機３にインストールして実行することで、上記各機能及び各処理を実現することができる。
【０１０５】
例えば、ＣＰＵ２１及び４１は、それぞれ通信部２５及び４５を介して、コンピュータ読み取り可能な記憶媒体から上記プログラムを読み取り、読み取ったプログラムを記憶し、プログラムのインストールを完了することができる。或いは、ＣＰＵ２１及び４１は、それぞれ通信部２５及び４５を介して、上記プログラムをサーバからダウンロードし、ダウンロードしたプログラムを記憶し、プログラムのインストールを完了することができる。これにより、ＣＰＵ２１及び４１は、インストールされた上記プログラムに基づき、上記各機能及び各処理を実現することができる。
【０１０６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
以下に本件出願当初の特許請求の範囲に記載された発明を付記する。
［Ｃ１］
媒体のデータコードからコードデータを取得した場合には前記コードデータを出力し、前記コードデータを取得せず前記媒体からマークを検出した場合には第１の所定情報を出力するコードリーダと、
前記コードリーダから出力される前記第１の所定情報に基づいて前記媒体の提示を要求する第１の案内部と、
前記コードリーダから出力される前記コードデータに基づいて所定の処理を行う処理部と、
を備える処理機。
［Ｃ２］
画像を表示する表示部を備え、
前記第１の案内部は、前記媒体を前記コードリーダに翳すように促すメッセージを前記表示部に表示する、
前記Ｃ１に記載の処理機。
［Ｃ３］
音を出力するスピーカ部を備え、
前記第１の案内部は、前記スピーカ部を通じて、前記媒体を前記コードリーダに翳すように促す警告音又は警告音声を出力する、
前記Ｃ１又は２に記載の処理機。
［Ｃ４］
前記コードリーダは、前記データコードを含む第１面と検出用コードを含む第２面とを備える前記媒体から前記検出用コードを読み取った場合に、第２の所定情報を出力し、
前記コードリーダから出力される前記第２の所定情報に基づいて前記媒体の前記第１面を翳すことを要求する第２の案内部を備える、
前記Ｃ１乃至３の何れか１項に記載の処理機。
［Ｃ５］
前記第２の所定情報は、前記媒体の前記第２面が翳されたことを示す情報、又は、前記検出用コードの検出を示す情報である、
前記Ｃ４に記載の処理機。
［Ｃ６］
前記コードリーダは、不可視光を用いて、前記検出用コードを読み取る、
前記Ｃ４又は５に記載の処理機。
［Ｃ７］
前記コードリーダは、前記コードデータを取得せず前記データコードのコードＩＤを取得した場合に前記コードＩＤを出力し、
前記処理部は、前記コードＩＤと次にコードリーダが出力したデータコードのコードＩＤとが一致した場合に、前記データコードに基づいて所定の処理を行う、
前記Ｃ１乃至６の何れか１項に記載の処理機。
［Ｃ８］
利用者の通行を制御するドア機構を備え、
前記コードデータは、乗車券情報を含み、
前記処理部は、前記乗車券情報に基づいて利用者の通行の可否を判定し、前記利用者が通行可能であると判定すると前記ドア機構を開放し、前記利用者が通行可能でないと判定すると前記ドア機構を閉鎖する、
前記Ｃ１乃至７の何れか１項に記載の処理機。
［Ｃ９］
前記データコードは、前記マークの少なくとも１つを備える、
前記Ｃ１乃至８の何れか１項に記載の処理機。
［Ｃ１０］
前記媒体は、前記データコードの領域外に前記マークの少なくとも１つを有する、
前記Ｃ１乃至９の何れか１項に記載の処理機。
［Ｃ１１］
前記データコードは、二次元コードである、
前記Ｃ１乃至１０の何れか１項に記載の処理機。
［Ｃ１２］
前記データコードは、ＱＲコードであり、
前記マークは、ファインダパターンである、
前記Ｃ１１に記載の処理機。
［Ｃ１３］
データコードを生成する生成部と、
券媒体に、前記生成部が生成した前記データコードと、前記データコードを印刷した領域外に少なくとも１つのマークとを印刷する印刷部と、
情報が印刷された前記券媒体を発行する発行部と、
を備える発行機。
［Ｃ１４］
乗車券情報を設定する設定部を備え、
前記生成部は、前記乗車券情報を含む前記データコードを生成する、
前記Ｃ１３に記載の発行機。
【符号の説明】
【０１０７】
１…券媒体、２…発行機、３…処理機、１１…データコード、１２ａ乃至１２ｋ…検出マーク、１３…隠蔽層、１４…検出用コード、２１…ＣＰＵ、２６…表示部、２７…操作部、３０…金額処理部、３１…印刷部、４１…ＣＰＵ、４６…表示部、４７…スピーカ部、５０…コードリーダ、５１…ドア機構、５２…人感センサ、１００…処理システム。
【図１】
0006572096.tif 000002
【図２】
0006572096.tif 000003
【図３】
0006572096.tif 000004
【図４】
0006572096.tif 000005
【図５】
0006572096.tif 000006
【図６】
0006572096.tif 000007
【図７】
0006572096.tif 000008
【図８】
0006572096.tif 000009
【図９】
0006572096.tif 000010